(57)【要約】【課題】  開閉可能なガイド板を閉めた時の位置決めが不十分であった。【解決手段】  解除部材８５によって、下ガイド８１に対してスラスト方向にスライドするピン８４a,８４ｂ,８４ｃ,８４ｄが上ガイド８６a,８６ｂの嵌合部材８７a,８７bより解除され下ガイド８１は下方に開放される。上ガイド８６aと上ガイド８６ｂが独立して下ガイド８１のピン８４に位置を決められることにより片閉りの状態を防止できるとともに、ガイド間のギャップとローラ同士のアライメントを確保できる。【選択図】  図７
2007047404.tif 000002
【特許請求の範囲】
【請求項１】
画像形成装置の内部に水平方向にシート搬送ガイドが位置し、奥側のヒンジを回動中心とし下方向に開放可能な下ガイドを有すとともに、これと対向する画像形成装置本体に水平に位置する上ガイドを有する。
前記上ガイドと下ガイドを連結するヒンジと水平に対向する側に少なくとも2本以上のスラスト方向に移動可能なピンと他方のガイド側にピンと少なくとも上下方向に嵌合可能な嵌合穴を設け、前記上ガイドと前記下ガイドが位置決め可能であることを特徴とする画像形成装置。
【請求項２】
前記開放可能な下ガイドは装置本体より上ガイドとともに一体で引き出し可能な引き出し手段を有し、本体より引き出した位置で前記下ガイドを解放することが可能であることを特徴とする請求項１に記載の画像形成装置。
【請求項３】
前記嵌合するピンを解除する解除手段を設けたことを特徴とする請求項１及び２に記載の画像形成装置。
【請求項４】
複数の並列した搬送ガイドユニットを有し、下ガイドの位置を決めている前記嵌合ピンを同時に解除する解除手段を有することを特徴とする請求項１及び２に記載の画像形成装置。
【請求項５】
前記複数の並列した搬送ガイドユニットが少なくとも２つ以上が同一であることを特徴とする請求４に記載の画像形成装置。
【請求項６】
前記上ガイドを分割し、それぞれの上ガイドに対し少なくとも1本以上のスラスト方向に移動可能なピンが上ガイドの少なくとも上下方向に嵌合可能な位置決め手段によって位置決め可能であることを特徴とする請求１及び２に記載の画像形成装置。
【発明の詳細な説明】
【技術分野】
【０００１】
本発明は、シート材上に画像を形成する画像形成装置に関するものである。
【背景技術】
【０００２】
画像形成装置においては、一般的にさまざまなサイズ、マテリアルのシート材が給紙装置によって給紙され、画像形成部に送られ画像形成された後に未定着画像を定着して排出する。
【０００３】
近年、画像形成装置においては設置スペースの削減を図るために装置の省スペース化が望まれている。一方、搬送されるシートマテリアルの種類は年々増加してきていて多数の給紙段を必要としているとともに、シート補給の煩わしさを除くために、大容量の給紙が可能な給送装置を設けることも望まれている。
【０００４】
これらの要望に対して、装置本体の側面に大容量のシートを収容して給送可能なペーパーデッキを配置し、このペーパーデッキからシートを供給するようにしたものがある。しかしながら、この構成では、ペーパーデッキ等によって装置本体のスペースが取られ、このしわ寄せはシートの搬送スペースに即ち、シート搬送ガイドのスペースを喰ってしまうこととなった。また、ガイドのスペースが少なくなることによりジャム処理スペースも小さくなっている。
【０００５】
この問題を解決するために、図９に示すように画像形成手段の下側のシート搬送ガイド96を引き出し可能としたものがある（例えば、特許文献１参照）
【特許文献１】特開平05-097262号公報
【発明の開示】
【発明が解決しようとする課題】
【０００６】
このように、シート搬送ガイドを引き出しジャム処理においてはジャム処理後、シート搬送上ガイドとシート搬送下ガイドの位置を決めるフック部の片締まりなどが問題となった。フックが片締まりになると搬送ローラの圧バランスが崩れ斜行やジャムの原因となり搬送性を落としてった。
【０００７】
また、装置の生産性を上げるため装置が大型化すると搬送ガイドも大きくなりジャム処理によって開放したガイド板が剛性の弱さから歪んでしまい、フックが閉りにくくなったり、フックのガタからガイド間のギャップが小さくなり搬送不良となったりした。
【０００８】
フックは引っかかる部分への導入をスムーズに行うためにはフック先端部を長く取らなければならず、ジャム処理の時、邪魔になったり、ガイドユニットのスペースが必要だったりした。また、フックは図８に示すように一度、フックが位置決めピンよりオーバーストロークしないとかからなかったり、２つのフックが両方位置決めピンを乗り越えないと片閉りの原因となる。
【課題を解決するための手段】
【０００９】
本発明は、画像形成装置の内部に引き出し可能なシート搬送ガイドが奥側のヒンジを回動中心とし下方向に開放する下ガイドを有するとともに、上ガイドと下ガイドを連結するスラスト方向に移動可能なピンと他方のガイド側を嵌合させることで上ガイドと下ガイドが位置決め可能であることを特徴とする。
【発明の効果】
【００１０】
本発明を用いることにより、搬送ガイドユニットの省スペース化し、搬送ガイドの片閉りを防止し、搬送ローラに対して各々、従動ローラとガイド板が位置を決めることが可能となり搬送性を確保した画像形成装置を供給することができる。
【発明を実施するための最良の形態】
【００１１】
以下に、実施例を挙げて、本発明をより具体的に説明する。なお、これら実施例は、本発明における最良の実施形態の一例ではあるものの、本発明はこれら実施例により限定されるものではない。
【００１２】
図1から図５を用いて、本発明の実施例を説明する。図1は本発明を適用した画像形成装置の概略断面である。1はプリンタ本体であり、プリンタ本体1の上部には、イエロー・マゼンタ・シアン・ブラックの計4色の一次画像を形成する為のエンジン部分Y,M,C,BKが配置されている。パソコン等の外部機器から送信されてきた印刷データは、プリンタ本体1を制御するコントローラで受信され、書き込み画像データとして各色のレーザースキャナ９３、９６、９７、９８へ出力される。
【００１３】
レーザースキャナは感光ドラム９１上へとレーザーを発光し、書き込み画像データに従った光像を描く。９４はレーザー光を感光ドラム９１へ向かって折り返す折り返しミラーである。各色のレーザースキャナの書き出しタイミングを調整することによって転写ベルト上での画像を合わせる。
【００１４】
各色の一次画像形成部は、感光ドラム９１と、感光ドラム９１の表面に均一な帯電を施すための帯電器（不図示）、帯電器により帯電された感光ドラム９１の表面に前記レーザースキャナ９３が光像を描く事で作成された静電潜像を、中間転写ベルト４０へと転写すべきトナー像へと現像するための現像器９２と、感光ドラム９１の表面に現像されたトナー像を中間転写ベルト９１に転写するための一次転写ローラ４５と、トナー像を転写した後、感光ドラム９１に残留したトナーを除去するためのクリーナ９５とから構成される。
【００１５】
中間転写ベルト４０に一次転写されたトナー像は、2次転写ローラ４４においてシート上へと再転写される。2次転写ローラ４４で転写されずに残留したトナーは、クリーナ４６によって回収される。４１は転写ベルト駆動ローラで４２は転写ベルトテンションローラで転写ベルト４０に張力を与えベルトを張った状態に保つ、４３は一次転写対向ローラである。
【００１６】
給紙部装置は、シート搬送の最上流に位置し、本実施例のプリンタでは、装置下部に2段並べて設けられている（１０、１３）。給紙リフター板１１は積載されたシートSを給紙部１２、１４のローラへと押し上げる。給紙部１２，１４はローラによって最上位のシートをピックアップして下流に送り出す構成を採用しているが、これはエアーによってシートを吸引して送るエアー給紙を採用することも可能である。給紙部１２、１４から給紙されたシートSは、縦搬送パス２０を通って下流側へと搬送される。縦搬送パス２０の最下流位置には、レジストローラ装置３０があり、ここで最終的なシートの斜行補正と、画像形成部での画像書き込みとシート搬送のタイミング合わせが行われる。
【００１７】
画像形成部の下流側には、シートS上のトナー像を永久画像として定着するための定着器５０が設けられている。
【００１８】
定着器５０を通過した後に、搬送パスを切換え可能な不図示のフラッパーが備えられていており、コントローラからの要求信号に応じて、両面搬送パスを選択可能になっている。両面印刷用の両面搬送パス８０への入口を兼ねたシート反転部７０と、像が定着されたシートSをプリンタ本体１から排出するための排出ローラ６０が設けられ、プリンタ本体１の外側には排出ローラで排出されたシートSを受けるための排紙トレイ６１が構成されている。
【００１９】
本発明における実施例を図２によって説明する。
【００２０】
画像形成手段の下側に横に並べて給紙部装置１０、１３が置かれている。前記給紙装置１０、１３の上に装置本体より引き出し可能な両面ユニット枠３２を設ける。前記両面ユニット枠３２はスライドレール３３によって装置本体の手前側に引き出し可能となっていて、
給紙装置１３の合流部パス２１から上流の両面搬送パス８１とレジストレーション装置３０、転写部４４を保持して引き出される。合流パス２１より下流の両面搬送パス８２は装置本体に残る。
【００２１】
横に並べて配置した給紙装置１０、１３の間に引き出し可能な両面ユニット枠３２（一点鎖線）を受ける支持部材２２を置き、これに給紙部１２，１４を保持する梁２３、２４を設けているため左側の給紙部１５の保持を安定してできるとともに、画像形成装置本体の剛性も梁が切れること無くつながることで保つことができる。
【００２２】
又、搬送部５１、レジストレーション装置３０、シートに画像を転写する転写部４４が載った両面ユニット枠３２を枠の略中央部で支持部材２２によって受けることができるため、転写部の加圧による変形や枠の歪み等を少なくすることができる。両面ユニット枠の中央部には支持部材２２を受けるコロ３３が設けられ、これによってスムーズに引き出すことが可能となる。両面搬送パス８２は両面搬送パス８２の上ガイドを上に上げることによりシートのジャム処理が可能となっている。
【００２３】
両面ユニット枠３２の引き出しについて図３、４、５により説明する。
【００２４】
両面ユニット枠３２はハンドル３４を矢印の方向に回転することによって２次転写ローラ４４の圧とロック解除し、引き出し可能となる。２次転写ローラ４４はハンドル３４から伸びた軸に設けられたカム３５によって２次転写ローラホルダー４７の動かし加圧/圧解除がなされる。前記2転ローラホルダーには2転ローラを加圧するためのバネが設けられている。
【００２５】
ハンドル３４の軸上にロックレバー部材３６aが設けられ、装置にあるロック部材３６ｂと係合することで両面ユニット枠３２が装置本体から引き出せないようになっている。ハンドル３４を矢印の方向に回すことによってロックを解除する。
【００２６】
このとき左側の給紙部１５から両面に合流するガイド２１がハンドル３４を矢印の方向に回転するのに連動してガイド２１を下に下げて開放しジャム処理可能にすることによって、シートがパスに跨って止まってしまうのを防止している。ハンドル３４から伸びた軸に設けられたガイド開放レバー３７aが回転することによって、装置本体に設けられたガイド開放ギア３７ｂを回転させ、合流パス下ガイド２１ｂに設けられたギア部２１ｃを動かすことで合流パス２１を開放することができる。
【００２７】
図５は両面ユニット枠３２を引き出した状態の図である。
【００２８】
両面ユニット枠３２を聞き出し両面ユニット枠３２の両面搬送パス８１を矢印の様に下側に開放することによってジャム処理を行う。両面搬送パス８１の構成について図６により説明する。ハンドル８３を下に押し下げることにより、ハンドル８３に連動した押し部材８８がバネにより負勢された解除部材８５を押す。解除部材８５によって、下ガイド８１に対してスラスト方向にスライドするピン８４a,８４ｂ,８４ｃ,８４ｄが上ガイド８６a,８６ｂの嵌合部材８７a,８７bより解除され下ガイド８１は下方に開放される。ピン８４もバネによって負勢されている。嵌合部材８７aはピン８４と上下左右の位置を決める嵌合穴、嵌合部材８７ｂはピン８４と上下方向を決める長丸嵌合穴となっている。上ガイド８６aと上ガイド８６ｂは同じユニットで装置の奥側で下ガイド８１と回転可能に同一軸のヒンジにより連結されている。上ガイド８６は従動ローラ２本と紙パスセンサーとガイドに取り付けられた嵌合部材８６a,８６ｂからなる。
【００２９】
上ガイド８６aと上ガイド８６ｂが独立して下ガイド８１のピン８４に位置を決められることにより片閉りの状態を防止できるとともに、ガイド間のギャップとローラ同士のアライメントを確保できる。
【図面の簡単な説明】
【００３０】
【図１】本発明の実施例を説明する画像形成装置の断面図。
【図２】本発明の実施例を説明する画像形成装置の断面図。
【図３】本発明の実施例を説明する画像形成装置の断面図。
【図４】本発明の両面ユニット枠の引き出しについて説明するための斜視図。
【図５】本発明の実施例を説明する画像形成装置の断面図。
【図６】本発明の両面ユニットを開いた状態を示す斜視図。
【図７】本発明の特徴を示す断面図。
【図８】従来の一例を説明する図。
【図９】従来の引き出し構成を説明する図。
【符号の説明】
【００３１】
１  画像形成装置
８１  下ガイド
８４  ピン
８６  上ガイド
８７  嵌合部材
【図１】
2007047404.tif 000003
【図２】
2007047404.tif 000004
【図３】
2007047404.tif 000005
【図４】
2007047404.tif 000006
【図５】
2007047404.tif 000007
【図６】
2007047404.tif 000008
【図７】
2007047404.tif 000009
【図８】
2007047404.tif 000010
【図９】
2007047404.tif 000011